(57)【要約】【課題】自動で画像形成ジョブの用途を正確に判断し、所望の品質にて画像形成を行うことを可能とする。【解決手段】サーバー装置１０の制御部１１は、ＰＰ用途のジョブの設定情報（設定情報テーブルＴ１）を予め記憶部１４に記憶し、ＰＰ用途のジョブが実行されると、当該ジョブのジョブ情報により設定情報を更新し、新規のジョブが実行される際、その新規の画像形成ジョブの開始前に、設定情報に基づいて新規の画像形成ジョブの用途を推測する。【選択図】図２
2020010160.tif 000002
【特許請求の範囲】
【請求項１】
所定の用途の画像形成ジョブが実行されると、当該画像形成ジョブのジョブ情報に基づいて、予め記憶部に記憶された前記所定の用途の画像形成ジョブの設定情報を更新する更新手段と、
新規の画像形成ジョブが実行される際、前記新規の画像形成ジョブの開始前に、前記設定情報に基づいて前記新規の画像形成ジョブの用途を推測する用途推測手段と、
を備えることを特徴とする情報処理装置。
【請求項２】
前記更新手段は、
画像形成ジョブが実行される際、ユーザーにより当該画像形成ジョブに関する調整が行われた場合、前記調整の内容を示す調整情報を取得する取得手段と、
前記取得手段により取得した前記調整情報が所定条件を満たす場合、前記画像形成ジョブが前記所定の用途の画像形成ジョブであると判断する判断手段と、
前記判断手段により前記所定の用途の画像形成ジョブであると判断された場合、前記設定情報と前記画像形成ジョブのジョブ情報で同一の項目について、前記画像形成ジョブのジョブ情報で上書きし、前記設定情報に含まれず前記画像形成ジョブのジョブ情報に含まれる項目について、前記設定情報に項目を追加する上書き手段と、
を備えることを特徴とする請求項１に記載の情報処理装置。
【請求項３】
前記判断手段は、前記調整情報に、色に関する調整を行ったこと、画像形成位置に関する調整を行ったこと、調整点が所定数以上であること、調整時間が所定時間以上であること、及び、同一の調整点の調整を複数回実施していることのうちの少なくとも一つの情報が含まれる場合、前記所定条件を満たすと判断することを特徴とする請求項２に記載の情報処理装置。
【請求項４】
通信ネットワークを介して複数の画像形成装置と接続され、
前記複数の画像形成装置のうちの一の装置で前記新規の画像形成ジョブが実行される場合、前記用途推測手段による推測結果を、前記新規の画像形成ジョブが実行される画像形成装置に通知する通知手段を備えることを特徴とする請求項１から３のいずれか一項に記載の情報処理装置。
【請求項５】
前記複数の画像形成装置からそれぞれの装置状態を示す状態情報を取得する状態情報取得手段と、
前記状態情報取得手段により取得した前記状態情報と、前記用途推測手段により推測した前記新規の画像形成ジョブの用途に応じて、前記複数の画像形成装置のうちの一の装置に、前記新規の画像形成ジョブを振り分ける振り分け手段と、
を備えることを特徴とする請求項４に記載の情報処理装置。
【請求項６】
前記状態情報は、前記複数の画像形成装置それぞれで発生したジャムの頻度、及び前記複数の画像形成装置それぞれで実行された画質安定化処理の頻度の少なくとも一方を含むことを特徴とする請求項５に記載の情報処理装置。
【請求項７】
前記振り分け手段は、前記状態情報が所定条件を満たさない画像形成装置に対して、前記所定の用途以外の画像形成ジョブを振り分け、前記状態情報が前記所定条件を満たす画像形成装置に対して、用途に関わらず全ての画像形成ジョブを振り分ることを特徴とする請求項５又は６に記載の情報処理装置。
【請求項８】
画像形成装置と、
請求項１から７のいずれか一項に記載の情報処理装置と、
を備えたことを特徴とする画像形成システム。
【請求項９】
所定の用途の画像形成ジョブが実行されると、当該画像形成ジョブのジョブ情報に基づいて、予め記憶部に記憶された前記所定の用途の画像形成ジョブの設定情報を更新する更新工程と、
新規の画像形成ジョブが実行される際、前記新規の画像形成ジョブの開始前に、前記設定情報に基づいて前記新規の画像形成ジョブの用途を推測する用途推測工程と、
を有することを特徴とする画像形成方法。
【請求項１０】
情報処理装置のコンピューターを、
所定の用途の画像形成ジョブが実行されると、当該画像形成ジョブのジョブ情報に基づいて、予め記憶部に記憶された前記所定の用途の画像形成ジョブの設定情報を更新する更新手段、
新規の画像形成ジョブが実行される際、前記新規の画像形成ジョブの開始前に、前記設定情報に基づいて前記新規の画像形成ジョブの用途を推測する用途推測手段、
として機能させるプログラム。
【発明の詳細な説明】
【技術分野】
【０００１】
本発明は、情報処理装置、画像形成システム、画像形成方法及びプログラムに関する。
【背景技術】
【０００２】
従来、コピー、スキャン、ファックス、ドキュメント管理など様々な機能が備わった、複合機あるいはＭＦＰ（Multi-Function Peripherals）と呼ばれる画像形成装置が普及している。近年、こうした画像形成装置を、オフィスプリントとプロダクションプリントのように、求める品質の異なる画像形成ジョブが混在する環境下で利用したいという要望がある。
これに対して、例えば、予め設定された品質レベルに基づいて、ジョブで用いられる用紙を選定する技術（例えば特許文献１参照）などが提案されている。
【先行技術文献】
【特許文献】
【０００３】
【特許文献１】特開２０１６−１５０４５９号公報
【発明の概要】
【発明が解決しようとする課題】
【０００４】
しかしながら、上記特許文献１では、ジョブの実行に際して事前に品質レベルの設定がなされる必要があり、ユーザーの手間が掛かるものであった。
そこで、予め、ジョブの用途（品質レベル）を判断するための判断条件（例えば、１部における頁数、用紙処理の内容など）を設定しておき、その条件に当てはまるか否かで用途を判断して画像形成を行う制御も考えられる。しかし、この制御では、一旦設定した判断条件が常に絶対的なものである保障はなく、利用するユーザー状況によってはその条件に当てはまらず、誤って用途が判断されてしまうおそれがある。そして、誤った判断のまま画像形成が行われると、やりなおさなければならない場合もあり、効率が著しく悪くなる。
このように、求める品質の異なる画像形成が混在する環境下で画像形成を実行するために、その用途を自動で正確に判断することのできる技術が望まれていた。
【０００５】
本発明は上記問題を鑑みてなされたものであり、その目的は、自動で画像形成ジョブの用途を正確に判断し、所望の品質にて画像形成を行うことを可能とすることである。
【課題を解決するための手段】
【０００６】
上記課題を解決するため、本発明は、情報処理装置において、
所定の用途の画像形成ジョブが実行されると、当該画像形成ジョブのジョブ情報に基づいて、予め記憶部に記憶された前記所定の用途の画像形成ジョブの設定情報を更新する更新手段と、
新規の画像形成ジョブが実行される際、前記新規の画像形成ジョブの開始前に、前記設定情報に基づいて前記新規の画像形成ジョブの用途を推測する用途推測手段と、
を備えることを特徴とする。
【０００７】
また、画像形成システムにおいて、
画像形成装置と、上記情報処理装置と、を備えたことを特徴とする。
【０００８】
また、画像形成方法において、
所定の用途の画像形成ジョブが実行されると、当該画像形成ジョブのジョブ情報に基づいて、予め記憶部に記憶された前記所定の用途の画像形成ジョブの設定情報を更新する更新工程と、
新規の画像形成ジョブが実行される際、前記新規の画像形成ジョブの開始前に、前記設定情報に基づいて前記新規の画像形成ジョブの用途を推測する用途推測工程と、
を有することを特徴とする。
【０００９】
また、プログラムにおいて、
情報処理装置のコンピューターを、
所定の用途の画像形成ジョブが実行されると、当該画像形成ジョブのジョブ情報に基づいて、予め記憶部に記憶された前記所定の用途の画像形成ジョブの設定情報を更新する更新手段、
新規の画像形成ジョブが実行される際、前記新規の画像形成ジョブの開始前に、前記設定情報に基づいて前記新規の画像形成ジョブの用途を推測する用途推測手段、
として機能させるプログラムである。
【発明の効果】
【００１０】
本発明によれば、自動で画像形成ジョブの用途を正確に判断し、所望の品質にて画像形成を行うことが可能となる。
【図面の簡単な説明】
【００１１】
【図１】画像形成システムの構成を示す概略図である。
【図２】サーバー装置の制御系の構成を示すブロック図ある。
【図３】設定情報テーブルの構成例を示す図である。
【図４】画像形成装置の制御系の構成を示すブロック図ある。
【図５】更新処理のフローチャートである。
【図６】設定情報テーブルが更新された例を示す図ある。
【図７】用途推測処理のフローチャートである。
【発明を実施するための形態】
【００１２】
以下、本発明の実施の形態について図面を参照して説明する。ただし、発明の範囲は、図示例に限定されない。
【００１３】
［１．構成の説明］
まず、本実施の形態に係る画像形成システム１の構成について説明する。
図１は、画像形成システム１の構成を示す概略図である。
図１に示すように、画像形成システム１は、サーバー装置（情報処理装置）１０と、一又は複数の画像形成装置２０と、を備えて構成されている。
画像形成システム１を構成する各装置は、通信ネットワークにデータ通信可能に接続される。通信ネットワークは、具体的には、電話回線、専用線、移動体通信網、通信衛星網、ＣＡＴＶ回線等の様々な通信回線を適用可能なＬＡＮ（Local Area Network）である。なお、ＷＡＮ（Wide Area Network）やインターネット等の様々なネットワーク形態を適用してもよい。
【００１４】
＜サーバー装置＞
サーバー装置１０は、例えば、画像形成装置２０から画像形成ジョブ（以下、単に「ジョブ」ということがある。）の用途推測依頼があった場合に、そのジョブの用途を推測して、依頼元の画像形成装置２０に推測結果を通知する機能を有する。
【００１５】
図２は、サーバー装置１０の制御系の構成を示すブロック図ある。
図２に示すように、サーバー装置１０は、制御部１１、ＲＡＭ（Random Access Memory）１２、通信部１３、記憶部１４等を備えて構成されており、各部はバス１５により接続されている。
【００１６】
制御部１１は、ＣＰＵ（Central Processing Unit）等により構成され、サーバー装置１０の各部の処理動作を統括的に制御する。制御部１１は、記憶部１４に記憶されている各種プログラムを読み出してＲＡＭ１２に展開し、当該プログラムとの協働により各種処理を実行する。
なお、制御部１１は、更新手段、用途推測手段、取得手段、判断手段、上書き手段、通知手段、状態情報取得手段及び振り分け手段として機能している。
【００１７】
ＲＡＭ１２は、制御部１１により実行制御される各種処理において、記憶部１４から読み出された各種プログラム、入力若しくは出力データ及びパラメーター等を一時的に記憶するワークエリアを形成する。
【００１８】
通信部１３は、ネットワークインターフェース等により構成され、通信ネットワークを介して接続された外部機器との間でデータの送受信を行う。
【００１９】
記憶部１４は、ＨＤＤ（Hard Disk Drive）や半導体の不揮発性メモリー等により構成される。記憶部１４は、制御部１１により実行される各種プログラムを記憶しているほか、各種プログラムを実行するために必要なパラメーターやデータを記憶している。具体的に、記憶部１４には、設定情報テーブルＴ１が格納されている。
【００２０】
図３は、設定情報テーブルＴ１の一例を示す構成図である。
図３に示すように、設定情報テーブルＴ１は、用途別のジョブに関する設定情報を格納したテーブルである。
具体的には、所定項目について、オフィスプリント（ＯＰ用途）とプロダクションプリント（ＰＰ用途：所定の用途）における設定内容が格納されている。
所定項目には、例えば、紙種、１ジョブ内の紙種指定数、用紙処理指定、画像形成部数、１部のページ数、ユーザー情報、ドライバ種類などが含まれる。
例えば、「紙種」について、ＯＰ用途は「指定なし」、ＰＰ用途は「普通紙以外で指定あり」との設定内容が格納されている。
かかる設定情報テーブルＴ１において、項目と、その項目に対する各用途における内容とは、初期状態として予め設定されている。そして、後述の更新処理に応じて、ＰＰ用途の内容が更新されたり、設定情報テーブルＴ１の項目が増えたりする。
【００２１】
＜画像形成装置＞
画像形成装置２０は、例えば、プリンター機能、スキャナー機能、コピー機能、ファクシミリ機能等の複数の機能を有する複合機である。画像形成装置２０は、原稿から画像を読み取って得られた画像データ又は外部機器から受信した画像データに基づいて、用紙上に画像を形成する。
【００２２】
図４は、画像形成装置２０の制御系の構成を示すブロック図ある。
図４に示すように、画像形成装置２０は、制御部２１と、画像読取部２２と、操作表示部２３と、画像形成部２４と、記憶部２５と、通信部２６と、を備えて構成されている。
【００２３】
制御部２１は、ＣＰＵ、ＲＡＭ、ＲＯＭ（Read Only Memory）等を備えて構成される。ＣＰＵは、ＲＯＭに記憶されている各種プログラム（ファームウェア等）をＲＡＭに展開し、ＲＡＭに展開した各種プログラムとの協働により、画像形成装置２０の動作を統括的に制御する。また、ＲＡＭは、画像形成部２４が受け取る画像データ及びジョブを画像形成完了まで保持する。
【００２４】
画像読取部２２は、図示しない原稿台又は自動原稿搬送部（ＡＤＦ:Auto Document Feeder）に載置された原稿の画像を走査露光装置の光学系により走査露光し、その反射光をラインイメージセンサーにより読み取り、これにより、画像信号を得る。この画像信号は、Ａ／Ｄ変換、シェーディング補正、圧縮等の処理が施された後、画像データ（原稿データ）として画像形成部２４に転送される。なお、画像形成部２４に転送される画像データとしては、画像読取部２２で読み取ったものに限らず、例えば、通信部２６により画像形成装置２０に接続された外部装置（図示省略）から受信したものであってもよい。
【００２５】
操作表示部２３は、ＬＣＤ又は有機ＥＬディスプレイを備え、ディスプレイ上には、透明電極を格子状に配置した感圧式（抵抗膜圧式）のタッチパネルを備えて構成される。
操作表示部２３は、制御部２１から入力される表示制御信号に従って、各種設定画面、各種ボタン、各機能の動作状況等の表示を行う。
また、操作表示部２３は、画面上に表示されたボタンが手指やタッチペン等で押下された場合、押下位置に対応付けられた操作信号を制御部２１に出力する。
また、操作表示部２３は、表示画面外に各種ハードキーを備え、ハードキーが押下された場合、押下されたキーに対応付けられた操作信号を制御部２１に出力する。
画像形成装置２０のユーザーは、操作表示部２３を操作して、画像形成に関する各種設定操作などを行うことができる。
【００２６】
画像形成部２４は、画像読取部２２から受け取った画像データ又は外部機器から通信ネットワーク経由で受け取った画像形成ジョブに基づいて用紙上に画像を形成し、画像形成物を作成する。画像形成部２４は、帯電された像担持体（感光体）に形成される静電潜像が現像されてトナー像となり、中間転写体（中間転写ベルト）上で各色のトナー像が重ね合わされてから用紙に転写される、いわゆる電子写真方式の画像形成部である。
【００２７】
記憶部２５は、不揮発メモリー等を備えて構成され、各種プログラムや各種設定データ、ジョブデータ等を制御部２１から読み書き可能に記憶する。また、記憶部２５は、読取画像、ファックス画像、フォントデータ等を記憶する。
【００２８】
通信部２６は、通信用ＩＣ及び通信コネクタなどを有する通信インターフェイスであり、制御部２１の制御の下、所定の通信プロトコルを用いて通信ネットワークを介したデータ通信を行う。
【００２９】
［２．動作の説明］
次に、画像形成システム１の動作について説明する。
画像形成システム１において、サーバー装置１０は、用途別のジョブに関する設定情報を記憶部１４に記憶しており、当該設定情報を随時更新する処理（更新処理：更新工程）を実行している。
また、サーバー装置１０は、画像形成装置２０から新規のジョブの用途を推測する用途推測依頼があった場合に、その新規のジョブの用途を推測して、依頼元の画像形成装置２０に推測結果を通知する処理（用途推測処理：用途推測工程）を実行している。
即ち、画像形成システム１の画像形成方法は、更新工程と、用途推測工程とを有する。
以下、これら各処理（各工程）の詳細について説明する。
【００３０】
＜更新処理（更新工程）＞
図５は、サーバー装置１０により実行される更新処理を示すフローチャートである。
なお、サーバー装置１０と画像形成装置２０は常時通信しており、画像形成装置２０は、画像形成ジョブが投入された時点でサーバー装置１０にこれを通知する。画像形成ジョブが投入された時点とは、例えば、画像読取部２２により画像を読み取ったり、外部装置から画像データを受信（ジョブを受信）したタイミングである。
サーバー装置１０の制御部１１は、画像形成装置２０から画像形成ジョブの投入が通知されたことをトリガーとして、記憶部１４に記憶されたプログラムに従い、かかる処理を実行する。
【００３１】
制御部１１は、画像形成ジョブの投入を通知してきた画像形成装置２０において、当該ジョブの開始前（画像形成ジョブ投入の通知時点）から終了までの間、ユーザーによりそのジョブに関する調整が行われたか否かを判断する（ステップＳ１１）。
【００３２】
そして、調整が行われないと判断した場合（ステップＳ１１：ＮＯ）、制御部１１は、本処理を実行する。
【００３３】
一方、調整が行われたと判断した場合（ステップＳ１１：ＹＥＳ）、制御部１１は、ジョブ情報と、調整の内容を示す調整情報を取得する（ステップＳ１２）。
ここで、ジョブ情報には、例えば、紙種、ページ数、部数、用紙処理、排紙先などの情報が含まれる。
調整の内容としては、例えば、調整箇所（調整点）、調整箇所の数、各調整箇所に対する調整時間などが含まれる。
【００３４】
次いで、制御部１１は、取得した調整の内容が、所定条件を満たすか否かを判断する（ステップＳ１３）。
例えば、制御部１１は、調整の内容が、色に関する調整であること、位置に関する調整であること、調整点が所定数（例えば３点）以上であること、調整時間が所定時間（例えば１０分）以上であること、及び、同一の調整点の調整を複数回実施していることのうちの少なくとも一つの内容に当てはまる場合、所定条件を満たすと判断する。
【００３５】
そして、所定条件を満たさない場合（ステップＳ１３：ＮＯ）、本処理を終了する。
【００３６】
一方、所定条件を満たす場合（ステップＳ１３：ＹＥＳ）、制御部１１は、そのジョブがＰＰ用途（所定の用途）のジョブであると判断し、そのジョブ情報により、設定情報テーブルＴ１の設定情報を更新する（ステップＳ１４）。
具体的に、制御部１１は、設定情報テーブルＴ１と、ジョブ情報とで同一の項目について、ジョブ情報の内容で上書きする。また、制御部１１は、設定情報テーブルＴ１に含まれずジョブ情報に含まれる項目について、設定情報テーブルＴ１にその項目を追加する。
【００３７】
図６は、更新後の設定情報テーブルＴ１の一部を示す一例である。
図６の例では、更新前（図３参照）には、「部数」が「５０部以上」であったところ、更新後には、「部数」が「１０部以上」となっている。また、「排紙先」の項目が追加されている。
【００３８】
以上の処理により、サーバー装置１０においてＰＰ用途であったジョブ情報により、設定情報（設定情報テーブルＴ１）が常に更新されていくこととなる。
これにより、サーバー装置１０が画像形成装置２０からジョブの用途推測依頼があった場合に、随時更新されている設定情報を用いて、そのジョブの用途を推測することが可能となる。
【００３９】
＜用途推測処理＞
図７は、サーバー装置１０により実行される用途推測処理を示すフローチャートである。
サーバー装置１０の制御部１１は、画像形成装置２０からジョブの用途推測依頼を受信したことをトリガーとして、記憶部１４に記憶されたプログラムに従い、かかる処理を実行する。
【００４０】
先ず、制御部１１は、画像形成装置２０から、用途推測処理を行うジョブ（新規のジョブ）を受信し（ステップＳ２１）、受信したジョブのジョブ情報を取得する（ステップＳ２２）。
【００４１】
次いで、制御部１１は、設定情報テーブルＴ１を参照して、取得したジョブ情報の内容がＯＰ用途とＰＰ用途のどちらに該当するかを推測する（ステップＳ２３）。
ジョブ情報には、例えば、紙種、ページ数、部数、用紙処理、排紙先などの項目が含まれる。
本実施の形態では、制御部１１は、その項目の内容がＰＰ用途に当てはまるものが一つでもあったら、ＰＰ用途のジョブであると判断する。
なお、判断に用いる項目を複数決めておき、その項目のうちＰＰ用途に当てはまるものの数が多かったら、ＰＰ用途のジョブであると判断することとしても良い。或いは、判断に用いる項目に優先順位を決めておき、優先順位の高い項目がＰＰ用途に当てはまったら、その他の項目が当てはまらなかったとしても、ＰＰ用途のジョブであると判断することとしても良い。
【００４２】
次いで、制御部１１は、推測結果を画像形成装置２０へ通知する（ステップＳ２４）。
なお、画像形成装置２０においては、その推測結果に基づいて、ＯＰ用途又はＰＰ用途としての各部の調整を行い、画像形成処理を実行することとなる。
【００４３】
以上の処理により、サーバー装置１０は、画像形成装置２０からジョブの用途推測依頼があった場合に、随時更新されている設定情報（設定情報テーブルＴ１）を用いて、画像形成装置２０におけるジョブの用途を推測することができる。
これにより、自動でジョブの用途を正確に判断することが可能となる。
【００４４】
なお、サーバー装置１０の制御部１１は、上記用途推測処理の後、用途に応じて画像形成装置２０へジョブの振り分けを行うこととしても良い。つまり、用途推測処理の推測結果に応じて、そのジョブを実行する画像形成装置２０を決定することとしても良い。
なお、この場合、用途推測依頼を送信してきた画像形成装置２０とは異なる画像形成装置２０でジョブが実行される可能性もあり、その場合には、用途推測依頼を送信してきた画像形成装置２０には、推測結果とともに、ジョブを実行する画像形成装置２０がどの装置であるかを通知することができる。
また、サーバー装置１０に対して直接ジョブの投入がなされ、上記用途推測処理の後、用途に応じて画像形成装置２０へジョブの振り分けを行うこととしても良い。
【００４５】
ジョブの振り分けは、例えば、各画像形成装置２０の状態に応じて実施される。
具体的に、制御部１１は、状態が安定していないと判断される画像形成装置２０に対しては、ＯＰ用途のジョブのみを振り分け、状態が安定していると判断される画像形成装置２０に対しては、ＰＰ用途のジョブを優先して振り分け且つ空き時間がある場合には、ＯＰ用途のジョブを振り分けることとする。
【００４６】
ここで、制御部１１は、例えば、各画像形成装置２０で発生したジャムの頻度、及び各画像形成装置２０で実行された画質安定化処理の頻度の少なくとも一方により、画像形成装置２０の状態を判断する。
具体的に、制御部１１は、定期的に（例えば、更新処理のステップＳ１１のタイミング）において、ジャム情報（所定時間内のジャムの発生回数、ジャムの発生位置及び発生時間等を示す情報）と、メンテナンス情報（所定時間内に画像安定化処理行った回数等を示す情報）を含む状態情報を取得する。
そして、制御部１１は、ジャムの頻度及び画質安定化処理の頻度の少なくとも一方が、所定値より高い場合、その画像形成装置２０は安定していないと判断する。
【００４７】
これにより、ジャムが発生しやすい装置や、画質が安定していない装置においては、ＰＰ用途のジャムを実行しないように振り分けることができる。
なお、画像形成装置２０の状態は、メンテナンス等によって不安定な状態から安定した状態に改善され得るため、定期的に、状態が確認されることが好ましい。
【００４８】
［３．効果］
以上のように、本実施の形態によれば、サーバー装置１０の制御部１１は、ＰＰ用途のジョブの設定情報（設定情報テーブルＴ１）を予め記憶部１４に記憶し、ＰＰ用途のジョブが実行されると、当該ジョブのジョブ情報により設定情報を更新し、新規のジョブが実行される際、その新規の画像形成ジョブの開始前に、設定情報に基づいて新規の画像形成ジョブの用途を推測する。
このため、随時更新される設定情報に基づいて自動で新規のジョブの用途を推測できるため、ユーザーが設定操作せずとも、画像形成装置２０が正確に用途を把握でき、ユーザーの所望の品質にて画像形成を行うことができる。
また、ユーザーの利用状況に応じて設定情報（設定情報テーブルＴ１）が変化していくため、用途判定に利用するジョブ情報を、利用状況に応じて変動させることができることとなり、画像形成装置２０がより正確に用途を把握でき、ユーザーの所望の品質にて画像形成を行うことができる。
【００４９】
また、本実施の形態によれば、制御部１１は、ジョブが実行される際、ユーザーにより当該ジョブに関する調整が行われた場合、調整の内容を示す調整情報を取得し、取得した調整情報が所定条件を満たす場合、そのジョブがＰＰ用途のジョブであると判断し、ＰＰ用途のジョブであると判断された場合、設定情報とそのジョブのジョブ情報で同一の項目についてジョブ情報で上書きし、設定情報に含まれずジョブのジョブ情報に含まれる項目について、設定情報に項目を追加する。
このため、ユーザーによる調整の内容を加味して、設定情報を更新していくことができる。
【００５０】
また、本実施の形態によれば、制御部１１は、調整情報に、色に関する調整を行ったこと、画像形成位置に関する調整を行ったこと、調整点が所定数以上であること、調整時間が所定時間以上であること、及び、同一の調整点の調整を複数回実施していることのうちの少なくとも一つの情報が含まれる場合、所定条件を満たすと判断する。
このため、ユーザーが品質にこだわった調整を行っていると判断される場合のジョブのジョブ情報により、設定情報を更新していくことができる。
【００５１】
また、本実施の形態によれば、サーバー装置１０は、通信ネットワークを介して複数の画像形成装置２０と接続され、制御部１１は、複数の画像形成装置２０のうちの一の装置で新規のジョブが実行される場合、その新規のジョブの用途の推測結果を、当該新規のジョブが実行される画像形成装置２０に通知する。
【００５２】
また、本実施の形態によれば、制御部１１は、複数の画像形成装置２０からそれぞれの装置状態を示す状態情報を取得し、取得した状態情報と、推測した新規のジョブの用途に応じて、複数の画像形成装置２０のうちの一の装置に、新規の画像形成ジョブを振り分ける。
このため、新規のジョブを、その用途に適した画像形成装置２０にて実行することができる。
【００５３】
また、本実施の形態によれば、状態情報は、複数の画像形成装置２０それぞれで発生したジャムの頻度、及び複数の画像形成装置２０それぞれで実行された画質安定化処理の頻度の少なくとも一方を含む。
このため、ジャムの頻度や画質安定化処理の頻度の低い装置を、状態の安定した装置として選択することが可能となる。
【００５４】
また、本実施の形態によれば、制御部１１は、状態情報が所定条件を満たさない画像形成装置２０に対して、ＰＰ用途以外のジョブを振り分け、状態情報が所定条件を満たす画像形成装置２０に対して、用途に関わらず全てのジョブを振り分る。
このため、状態の安定していない装置には、品質を求めないジョブのみが振り分けられる、状態の安定している装置には、どのようなジョブでも振り分けられるので、生産性を落とすことなく、ユーザーの所望の品質にて画像形成を行うことができる。
【００５５】
以上、本発明を適用可能な実施の形態は、上述した実施の形態に限定されることなく、本発明の趣旨を逸脱しない範囲で適宜変更可能である。
【００５６】
例えば、上記実施の形態において、更新処理では、所定条件を満たす場合にＰＰ用途であると判断しているが、ユーザーが予めＰＰ用途と指定したジョブについては、この判断を省略することとしても良い。
【００５７】
また、サーバー装置１０自体が、ＭＦＰなどの画像形成装置であっても良い。
【００５８】
また、以上の説明では、各処理を実行するためのプログラムを格納したコンピューター読み取り可能な媒体としてＨＤＤや不揮発性メモリーを使用した例を開示したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００５９】
１  画像形成システム
１０  サーバー装置（情報処理装置）
１１  制御部（更新手段、用途推測手段、取得手段、判断手段、上書き手段、通知手段、状態情報取得手段、振り分け手段）
１２  ＲＡＭ
１３  通信部
１４  記憶部
Ｔ１  設定情報テーブル
１５  バス
２０  画像形成装置
２１  制御部
２２  画像読取部
２３  操作表示部
２４  画像形成部
２５  記憶部
２６  通信部
【図１】
2020010160.tif 000003
【図２】
2020010160.tif 000004
【図３】
2020010160.tif 000005
【図４】
2020010160.tif 000006
【図５】
2020010160.tif 000007
【図６】
2020010160.tif 000008
【図７】
2020010160.tif 000009